(57)【要約】【課題】折り畳み式携帯端末機において、薄型化を実現しつつ、折り畳んだ筐体を開く作業が簡易に行えるようにする。【解決手段】第１筐体１の少なくとも左右側縁部に、第２筐体２を折り畳んだ状態で当該第２筐体２の側部を覆う側辺部６を設ける。第２筐体２のヒンジ部３側の端部には、当該第２筐体２を折り畳んだ状態で当該第２筐体２を開く方向に回動させるための指掛け部７を設ける。従って、薄型化を実現しつつ、指による簡易な操作、つまり、筐体側面を手の平で挟んで人差し指をヒンジ部３周囲の指掛け部７に掛けて回し込むという極めて自然な操作で、折り畳んだ筐体を開くきっかけを与えることができ、その後の開く作業を簡易に行うことができる。【選択図】図１
2008187286.tif 000002
【特許請求の範囲】
【請求項１】
第１筐体と第２筐体とがヒンジ部を介して折り畳み可能に結合された折り畳み式携帯端末機であって、
前記第１筐体の少なくとも左右側縁部に、前記第２筐体を折り畳んだ状態で当該第２筐体の側部を覆う側辺部を設け、
前記第２筐体の前記ヒンジ部側の端部には、当該第２筐体を折り畳んだ状態で当該第２筐体を開く方向に回動させるための指掛け部を設けたことを特徴とする折り畳み式携帯端末機。
【請求項２】
前記指掛け部は、摩擦部材で形成されていることを特徴とする請求項１に記載の折り畳み式携帯端末機。
【請求項３】
第１筐体と第２筐体とがヒンジ部を介して折り畳み可能に結合された折り畳み式携帯端末機であって、
前記第１筐体の少なくとも左右側縁部に、前記第２筐体を折り畳んだ状態で当該第２筐体の側部を覆う側辺部を設け、
前記第２筐体の前記ヒンジ部側の端部には延長部を設け、
両筐体を折り畳んだ状態で前記延長部を押すことにより、前記ヒンジ部を介して前記第２筐体が開く方向に回動するようにしたことを特徴とする折り畳み式携帯端末機。
【請求項４】
前記延長部の内部に電子部品が配置されていることを特徴とする請求項３に記載の折り畳み式携帯端末機。
【請求項５】
前記側辺部は、前記第１筐体の側縁部に別体の側辺部材として取り付けられていることを特徴とする請求項１から４のいずれか一項に記載の折り畳み式携帯端末機。
【発明の詳細な説明】
【技術分野】
【０００１】
本発明は、折り畳み式の携帯端末機に関する。
【背景技術】
【０００２】
第１筐体（操作部筐体）と第２筐体（表示部筐体）とがヒンジ部を介して折り畳み可能な折り畳み式携帯端末機（携帯電話機）では、薄型化が進んでおり、その両筐体を極端に薄くした場合には、それが折り畳まれている状態では両筐体を指で別々にして開く作業が困難になり、手間取る可能性が高い。
【０００３】
その開く操作を簡易化するために、ヒンジ部にバネを設け、閉じた状態ではそのバネをロックし、開くときにはヒンジ部の釦などを操作して前記ロックを解除して自動的に開くようにした構造が知られている（特許文献１参照）。特許文献１は、ヒンジ部に設けられた釦操作で自動的に開く携帯電話機で、その釦を可動側筐体の側面を覆う覆い部に設けたものである。つまり、釦操作時に指が表示部筐体の側面に触れないようしたものとなっている。
【０００４】
また、受話部筐体の両側縁部を囲い構造とし、折り畳んだとき送話部筐体が囲い構造の内側に位置する構造も知られている（特許文献２参照）。特許文献２は、スライドスイッチで自動的に開くようにしたものである。
【特許文献１】特開２００３−１８８９６６号公報
【特許文献２】特開２００６−３５２９２０号公報
【発明の開示】
【発明が解決しようとする課題】
【０００５】
しかし、特許文献１のような構造では、開くことは簡単に行えるが、自動的に開くようにするためのバネに工夫を加えてかなり強めのバネ力を付ける必要があり、ヒンジ部でのバネ構造が大型化するなど余計な構造が必要になり、薄型化の障害になる。また、特許文献２のような構造でも同様である。
このため、薄型化を実現しつつ、折り畳んだ筐体を開く作業を簡易に行える実装が望まれる。
【０００６】
本発明の課題は、折り畳み式携帯端末機において、薄型化を実現しつつ、折り畳んだ筐体を開く作業が簡易に行えるようにすることである。
【課題を解決するための手段】
【０００７】
以上の課題を解決するため、請求項１に記載の発明は、第１筐体と第２筐体とがヒンジ部を介して折り畳み可能に結合された折り畳み式携帯端末機であって、前記第１筐体の少なくとも左右側縁部に、前記第２筐体を折り畳んだ状態で当該第２筐体の側部を覆う側辺部を設け、前記第２筐体の前記ヒンジ部側の端部には、当該第２筐体を折り畳んだ状態で当該第２筐体を開く方向に回動させるための指掛け部を設けたことを特徴とする。
【０００８】
請求項２に記載の発明は、請求項１に記載の折り畳み式携帯端末機であって、前記指掛け部は、摩擦部材で形成されていることを特徴とする。
【０００９】
請求項３に記載の発明は、第１筐体と第２筐体とがヒンジ部を介して折り畳み可能に結合された折り畳み式携帯端末機であって、前記第１筐体の少なくとも左右側縁部に、前記第２筐体を折り畳んだ状態で当該第２筐体の側部を覆う側辺部を設け、前記第２筐体の前記ヒンジ部側の端部には延長部を設け、両筐体を折り畳んだ状態で前記延長部を押すことにより、前記ヒンジ部を介して前記第２筐体が開く方向に回動するようにしたことを特徴とする。
【００１０】
請求項４に記載の発明は、請求項３に記載の折り畳み式携帯端末機であって、前記延長部の内部に電子部品が配置されていることを特徴とする。
【００１１】
請求項５に記載の発明は、請求項１から４のいずれか一項に記載の折り畳み式携帯端末機であって、前記側辺部は、前記第１筐体の側縁部に別体の側辺部材として取り付けられていることを特徴とする。
【発明の効果】
【００１２】
本発明によれば、薄型化を実現しつつ、指による簡易な操作、つまり、筐体側面を手の平で挟んで人差し指をヒンジ部に掛けて回し込むという極めて自然な操作で、折り畳んだ筐体を開くきっかけを与えることができ、その後の開く作業を簡易に行うことができる。
【発明を実施するための最良の形態】
【００１３】
以下、図を参照して本発明を実施するための最良の形態を詳細に説明する。
（実施形態１）
図１から図３は本発明を適用した携帯端末機の実施形態１の構成として携帯電話機を示したもので、１は第１筐体（操作部筐体）、２は第２筐体（表示部筐体）、３はヒンジ部、４は操作部、５は表示部、６は側辺部、７は指掛け部である。
図示のように、第１筐体１と第２筐体２は共に薄型のもので、ヒンジ部３を介して折り畳み可能に結合されており、実施形態では、第１筐体１に各種操作キーによる操作部４が設けられ、第２筐体２に液晶画面等による表示部５が設けられている。従って、第１筐体１が操作部筐体をなし、第２筐体２が表示部筐体をなす。
【００１４】
そして、第１筐体１の操作部４面の左右両側縁部に沿って起立する側辺部６が一体に形成されており、図示例では、ヒンジ部３と反対側の端部にも連続して側辺部６が形成されている。この側辺部６は、表示部５面側で重ねられる第２筐体２を囲むようにして、第２筐体２とほぼ同じ厚さ分だけ第１筐体１上に突出して形成されている。
【００１５】
また、第１筐体１のヒンジ部３側の端部には、当該第１筐体１と一体の中央ヒンジカバーによる指掛け部７が設けられている。
【００１６】
このように、第１筐体（操作部筐体）１の側辺部６は第２筐体（表示部筐体）２とほぼ同じ厚さ分だけ起立して機器全体の厚みを出している。
従って、図２に示すように、両筐体１・２を折り畳んだ状態では薄型でありながら、手に持つ第１筐体（操作部筐体）１の特に両側の側辺部６が厚みを出しているため、折り畳み状態での機器全体の厚みは大きくならず、手の平で持ちやすいものとなっており、例えば操作部筐体が薄いまま手の平に乗せると手の平に筐体が沈み込んでしまうという欠点を解消できる。また、起立部６は折り畳み状態での誤動作防止にもなる。
【００１７】
このように、両筐体１・２を折り畳んだ状態において、第１筐体（操作部筐体）１の特に両側縁部を起立させた側辺部６で第２筐体（表示部筐体）２を包み込むことで、薄型の両筐体１・２の重なり部分を露出させないようにすることができ、例えば側面部を引っ掛けて筐体がむやみに開いてしまうことを未然に防止できることから、ヒンジ部３のトルクを弱くすることができる。
その結果、第２筐体（表示部筐体）２のヒンジ部３周囲の指掛け部７に指を掛けて開くことができるようになる。
【００１８】
すなわち、図２及び図３に示した折り畳み状態において、第１筐体１の両側の側辺部６を手の平で挟んで人差し指をヒンジ部３周囲の指掛け部７に掛け、その人差し指を引くように回し込むことにより、ヒンジ部３を介して第２筐体２が側辺部６から浮き上がる。従って、側辺部６から浮き上がった第２筐体２の両側面部を指で挟んで持ち上げることで、図１に示すように、両筐体１・２を開くことができる。
このようにして両筐体１・２を開いた状態において、薄型の第１筐体（操作部筐体）１の特に両側の側辺部６が面積を稼ぐので手で握ったときに痛くない。
【００１９】
以上のように、折り畳み式携帯電話機において、両筐体１・２の薄型化を実現しつつ、指による簡易な操作、つまり、第１筐体１の両側の側辺部６を手の平で挟んで人差し指をヒンジ部３周囲の指掛け部７に掛け、その人差し指を引くように回し込むという極めて自然な操作だけで、折り畳んだ筐体１・２を開くきっかけを与えることができ、その後の開く作業を簡易に行うことができる。
【００２０】
ここで、従来では、表示部筐体が引っ掛かったぐらいで誤って開くことを防止するために、閉じた状態ではヒンジ部のバネ力を閉まる方向にやや強めにしなければいけなかった。
これに対し、実施形態では、前述したように、薄型の両筐体１・２の両側部を側辺部６覆い隠すため、第２筐体（表示部筐体）２が誤って開くことを未然に防止でき、その結果、ヒンジ部３はかなり弱めのバネ力でよいことになり、ヒンジ部３周囲の指掛け部７に人差し指を掛けて回す程度の力で回動できるようになる。
【００２１】
なお、指掛け部７を指で回して第２筐体２を浮き上がらせた後は、自動的に第１筐体１に対し第２筐体２が開く機構を組み込んでおいても良い。そうすれば、片手だけで操作しやすくなる。
【００２２】
（実施形態２）
図４は本発明を適用した携帯端末機の実施形態２の構成として別体の側辺部材１６の場合を示したもので、前述した実施形態１では第１筐体１に一体の側辺部６を設けていたが、この実施形態２では、第１筐体１の側縁部に、図示のように、別体の側辺部材１６として取り付けている。
【００２３】
このように、別体の側辺部材１６によっても、前述した実施形態１と同様の作用効果が得られる。
【００２４】
（実施形態３）
図５は本発明を適用した携帯端末機の実施形態３の構成として携帯電話機を示したもので、前述した実施形態１の指掛け部７、つまり、第１筐体１と一体の中央ヒンジカバーによる指掛け部７に、指での摩擦力を増す摩擦部材として、例えばゴム材１７を接着等により設けている。
【００２５】
このように、第１筐体１のヒンジ部３周囲の指掛け部７にゴム材１７を設けておけば、前述した実施形態１と同様の作用効果が得られることに加え、ゴム材１７に指を掛けて十分な摩擦力により指掛け部７を介して第２筐体２をより確実に回転させることができるものとなる。
【００２６】
なお、摩擦部材１７としては、ゴム材に限らず、他の任意の摩擦材料を選択すれば良く、また、ヒンジカバーまたは第１筐体１と一体でも別体でも良い。
【００２７】
（実施形態４）
図６は本発明を適用した携帯端末機の実施形態４の構成として携帯電話機を示したもので、前述した実施形態１の指掛け部７、つまり、第１筐体１と一体の中央ヒンジカバーによる指掛け部７に、指での摩擦力を増す摩擦部材として、横方向に一直線状のリブ２７を一体に形成している。このリブ２７は一本でも複数でも良い。
【００２８】
このように、第１筐体１のヒンジ部３周囲の指掛け部７に横一直線状のリブ２７を設けておけば、前述した実施形態１と同様の作用効果が得られることに加え、横一直線状のリブ２７に指を掛けて十分な摩擦力により指掛け部７を介して第２筐体２をより確実に回転させることができるものとなる。
【００２９】
なお、摩擦部材２７としては、直線状のリブに限らず、他の任意形状の突起部等を形成すれば良く、また、ヒンジカバーまたは第１筐体１と別体でも良い。
【００３０】
（実施形態５）
図７及び図８は本発明を適用した携帯端末機の実施形態５の構成として携帯電話機を示したもので、前述した実施形態１と同様の部分には同一符号を付してその説明を省略し、以下では異なる部分について説明する。
すなわち、実施形態５では、図７及び図８に示すように、第１筐体１のヒンジ部３側の端部に、ヒンジ部３を覆って一様に突出する延長部８が一体に形成されている。この延長部８の内部には、図示しない電子部品、例えばアンテナが配置されている。
【００３１】
このように、第１筐体１のヒンジ部３側端部に延長部８を設けても、折り畳み状態から両筐体１・２を開くきっかけを与えることができる。すなわち、図８に示した折り畳み状態で第１筐体１の両側の側辺部６を手の平で挟んで人差し指をヒンジ部３から突出する延長部８に掛け、その延長部８を下方に押すことにより、ヒンジ部３を介して第２筐体２が側辺部６から浮き上がる。従って、側辺部６から浮き上がった第２筐体２の両側面部を指で挟んで持ち上げることで、図７に示すように、両筐体１・２を開くことができる。
【００３２】
以上のように、第１筐体１のヒンジ部３側端部の、電子部品、つまり、アンテナを内蔵した延長部８を、前述した実施形態１における指掛け部７として兼用でき、実施形態１と同様の作用効果が得られる。
【００３３】
以上の実施形態５において、前述した実施形態１と同様に第１筐体１に一体の側辺部６を設けていたが、実施形態２と同様に第１筐体１の側縁部に側辺部材１６としても良い。
また、延長部８を第１筐体１に一体に形成したが、別体の延長部８として第１筐体１に取り付けるようにしても良い。
さらに、延長部８には、アンテナに限らず、他の任意の電子部品を配置しても良い。例えば延長部８内に基板を配置しても良い。また、延長部８内は空でも良い。
【００３４】
なお、以上の各実施形態においては、携帯電話機としたが、本発明はこれに限定されるものではなく、ＰＤＡ、その他の携帯端末機であっても良い。
また、各実施形態では、第１筐体を操作部筐体、第２筐体を表示部筐体としたが、逆に、第１筐体を表示部筐体、第２筐体を操作部筐体としても良い。
さらに、実施形態１から４では、筐体と一体の中央ヒンジカバーによる指掛け部としたが、筐体と一体の左右両端部ヒンジカバーによる指掛け部としても良い。
また、ヒンジ部と反対側端部に起立する側辺部はなくても良く、指掛け部の形状や延長部の形状等も任意であり、その他、具体的な細部構造等についても適宜に変更可能であることは勿論である。
【図面の簡単な説明】
【００３５】
【図１】本発明を適用した携帯端末機の実施形態１の構成を示すもので、携帯電話機を開いた状態で下側から見た斜視図（ａ）と上側から見た斜視図（ｂ）である。
【図２】図１の携帯電話機を折り畳んだ状態で下側から見た斜視図（ａ）と上側から見た斜視図（ｂ）である。
【図３】図２の折り畳んだ状態での縦断面図である。
【図４】本発明を適用した携帯端末機の実施形態２の構成を示すもので、別体の側辺部材の場合を示した縦断面図である。
【図５】本発明を適用した携帯端末機の実施形態３の構成を示すもので、携帯電話機を折り畳んだ状態で上側から見た斜視図である。
【図６】本発明を適用した携帯端末機の実施形態４の構成を示すもので、携帯電話機を折り畳んだ状態で上側から見た斜視図である。
【図７】本発明を適用した携帯端末機の実施形態５の構成を示すもので、携帯電話機を開いた状態で下側から見た斜視図（ａ）と上側から見た斜視図（ｂ）である。
【図８】図７の携帯電話機を折り畳んだ状態で下側から見た斜視図（ａ）と上側から見た斜視図（ｂ）である。
【符号の説明】
【００３６】
１  第１筐体（操作部筐体）
２  第２筐体（表示部筐体）
３  ヒンジ部
４  操作部
５  表示部
６  側辺部
７  指掛け部
８  延長部
１６  側辺部材
１７  摩擦部材
２７  摩擦部材
【図１】
2008187286.tif 000003
【図２】
2008187286.tif 000004
【図３】
2008187286.tif 000005
【図４】
2008187286.tif 000006
【図５】
2008187286.tif 000007
【図６】
2008187286.tif 000008
【図７】
2008187286.tif 000009
【図８】
2008187286.tif 000010